(57)【要約】      （修正有）【課題】個人で購入、運搬および設置が簡単であり、陸上や屋内で使用するウィンドサーフィン練習セットを提供する。【解決手段】ウィンドサーフィン練習セットは、セイル１、マスト２、ブーム３、ジョイントベース４等からなるセイル部と、陸上で受動的に水平方向に回転する構造６とボード５からなるボード部を組み合わせ、数種の前記回転する構造６の選択によりボード部の安定性の難易度が変わることから、初心者から上級者までを対象として、セイル部の角度に応じたボード部の回転をコントロールするセイル操縦技術の練習を可能にする。【選択図】図１
0003232444.tif 000002
【実用新案登録請求の範囲】
【請求項１】
セイル、マスト、ブーム、ジョイントベース等からなるセイル部と、
プラスチック、木材等の材質のボード、
の下面中央に、前記ボードを受動的に水平方向に回転させる構造、および、
前記ボードの下面の少なくとも四隅にキャスターまたはゴム足等を具備する、
ボード部と、からなるウィンドサーフィン練習セット。
【請求項２】
前記ボード部は、前記ボードの下面中央に回転台を取り付けた、請求項１記載のウィンドサーフィン練習セット。
【請求項３】
前記ボード部は、前記ボードの下面中央にバランスボードを取り付けた、請求項１記載のウィンドサーフィン練習セット。
【請求項４】
前記ボード部は、前記ボードの下面中央を中心とする円周上に、ボード部が水平方向に回転するような角度で固定キャスターを複数配置した、請求項１記載のウィンドサーフィン練習セット。
【請求項５】
前記ボード部は、前記ボードの下面の少なくとも四隅に自在キャスターを配置し、さらに、ボード部がボードの長軸方向に進むように、前記ボードの下面中央に１個以上の固定キャスターをボードの短軸方向に並べて取り付けた、請求項１記載のウィンドサーフィン練習セット。
【請求項６】
前記ボードの下面の四隅に配置したゴム足等に圧力スイッチを内蔵し、圧力のかかった回数を表示する機能を具備する、請求項３記載のウィンドサーフィン練習セット。
【請求項７】
前記セイル部は、マストが無い線対称の形状である、請求項２〜６記載のウィンドサーフィン練習セット。
【考案の詳細な説明】
【技術分野】
【０００１】
本考案は、陸上で簡単にセイリング練習を可能にするウィンドサーフィン練習用具に関する。
【背景技術】
【０００２】
従来、水上や陸上でウィンドサーフィンの練習をする道具が提案されているが、その中で実用新案文献１に示すように、陸上に設置してウィンドサーフィン練習を行うものが提案されていた。
【先行技術文献】
【非特許文献】
【０００３】
【非特許文献１】実全昭６１−００２２８６
【０００４】
この考案は、ピッチング・ローリング機構を備えた台座の上に実物のウィンドサーフィンボードを固定し、波によるボードの揺れを再現することにより、実際に水上を走行するのに近い状態での練習を可能にするものである。
【考案の概要】
【考案が解決しようとする課題】
【０００５】
前記実用新案文献１記載の考案では、装置が複雑で大がかりとなる上に、ウィンドサーフィンセット１台を購入する必要があり、個人が練習のために購入し、運搬・設置することは困難であった。
【０００６】
本考案は、セイル角度に応じたボードの回転をコントロールするセイル操縦技術の習得に焦点を絞り、簡単な構成とすることにより、個人が購入可能な安価かつ運搬も容易なウィンドサーフィン練習セットを提供することを目的とする。また、本考案は、冬季など水上での練習が不可能な場合でも練習を可能にすることや、広く一般的な運動不足解消ひいては健康増進目的にも寄与する新たなヘルスケア商品として供給することを目的とする。
【課題を解決するための手段】
【０００７】
本考案の要旨とするところは、セイル、マスト、ブーム、ジョイントベース等からなるセイル部と、プラスチックや木材等の材質のボードの下面に、地面や床等の上で受動的に水平方向に回転する構造、および少なくとも四隅にキャスターまたはゴム足等を備えたボード部と、により構成されるウィンドサーフィン練習セットである。
【０００８】
また、本考案の要旨とするところは、前記ボード部の下部に回転台を取り付け、受動的に水平方向に回転する構造を実現する、ウィンドサーフィン練習セットである。
【０００９】
また、本考案の要旨とするところは、前記ボード部の下部にバランスボードを取り付け、受動的に水平方向に回転する構造を実現するウィンドサーフィン練習セットである。
【００１０】
また、本考案の要旨とするところは、前記ボードの下面に、ボードの中央を中心とする円周上に固定キャスターを複数配置することにより、受動的に水平方向に回転する構造を実現するウィンドサーフィン練習セットである。
【００１１】
また、本考案の要旨とするところは、前記ボード部がボードの長軸方向に進むように、前記ボードの下面中央に、１個または複数の固定キャスターをボードの短軸方向に並べて取り付け、さらに、前記ボードの下面の少なくとも四隅に自在キャスターを配置することにより、受動的に水平方向に回転する構造および前記ボードの長軸方向に走行する構造を実現する、ウィンドサーフィン練習セットである。
【００１２】
また、本考案の要旨とするところは、バランスボードを取り付けた前記ボードの下面の四隅に配置したゴム足等に圧力スイッチを内蔵し、圧力のかかった回数を表示する機能を具備する、ウィンドサーフィン練習セットである。
【００１３】
また、本考案の要旨とするところは、マストが無く、セイルの形状がハート形のように線対称であるセイル部と、受動的に水平方向に回転する構造を有するボード部からなるウィンドサーフィン練習セットである。
【考案の効果】
【００１４】
請求項１の考案は、セイル部と、水平方向に受動的に回転するボード部との組み合わせにより、風を受けた時、セイル角度に応じてボード部が回転することを陸上で体験し、ウィンドサーフィンボードの進行方向を維持・変更するためのセイル操縦技術の練習を可能にする。また、構造も従来技術に比べ簡単であるため、コストが安くなり、個人でも購入が可能となるというメリットがある。さらに、ボード下面の四隅に配置したキャスターやゴム足等は、練習者の転倒を防止する効果およびボード四隅の損傷防止効果がある。なお、ボード形状は長方形に限定するものではなく、円形、楕円形など、制限は無い。また、強力な扇風機があれば、屋内での練習も可能となる。
【００１５】
請求項２の考案は、ボード下部が座椅子等に用いられる回転台であることを特徴とする。本考案によれば、回転の抵抗が少ない回転台のため、微風時にセイルに風を受けボード部を回転させるのに最適である。
【００１６】
請求項３の考案は、ボード下部のバランスボードが、ボード部の受動的な水平方向の回転を実現することを特徴とする。本考案によれは、水上でのウィンドサーフィンボードの不安定さを再現することができるため、より困難な水上練習に近い練習環境の提供を可能にする。
【００１７】
請求項４の考案は、ボードの下面中央を中心として円周上に固定キャスターを複数配置して、ボード部の受動的な水平方向の回転を実現するものであり、前記回転台取付け型等に比べボード部重量をより軽くすることができるため、運搬が容易になるメリットがある。
【００１８】
請求項５の考案は、ボードの下面の四隅に自在キャスターを配置し、さらに、ボード部がボードの長軸方向に進むように、ボードの下面中央に、１個または複数の固定キャスターをボードの短軸方向に並べて取り付けたものである。本考案によれば、風を受けてボード部が進むこと、およびセイルの角度によってボード部が回転し進行方向が変わることを体験することができるため、より実用的なセイル操縦技術の習得を可能にする。
【００１９】
請求項６の考案は、ボードの下面の四隅に配置したゴム足等に圧力スイッチを取付け、圧力のかかった回数を表示する機能を具備するものである。本考案によれば、バランスのとり方が難しい請求項３のバランスボードタイプでの練習において、バランスを崩した回数が表示されるため、練習の励みになり上達の目標設定も具体的に行うことが可能となる。そのため、本考案は、健康運動用具としてのヘルスケア商品の提供をも可能にする。
【００２０】
請求項７の考案は、請求項２〜６のセイル形状を線対称、例えばハート形にしたものである。本考案によれば、注目度の向上、およびスポーツ性よりも娯楽性をアピールすることによる、ヘルスケア商品新規参入者の獲得効果がある。
【図面の簡単な説明】
【００２１】
【図１】セイル部とボード部の関係を示す図であり、側面図（ａ）と上面図（ｂ）である。
【図２】本考案の実施形態１の上面図（ａ）と側面図（ｂ）と下面図（ｃ）である。
【図３】本考案の実施形態２の上面図（ａ）と側面図（ｂ）と下面図（ｃ）および（ｄ）である。
【図４】本考案の実施形態３の上面図（ａ）と側面図（ｂ）と下面図（ｃ）である。
【図５】本考案の実施形態４の上面図（ａ）と側面図（ｂ）と下面図（ｃ）である。
【図６】本考案の実施形態５のセイル部とボード部の関係を示す側面図である。
【考案を実施するための形態】
【００２２】
図１は、本考案の概念を示す側面図（ａ）と上面図（ｂ）である。セイル１、マスト２、ブーム３、ジョイントベース４からなるセイル部と、ボード５、水平方向に受動的に回転する構造６、およびゴム足等７を備えたボード部と、からなるウィンドサーフィン練習セットの構成を示す。練習者はボード５の上に立ち、ブーム３を手で握りセイル操縦を行う。ジョイントベース４はフレキシブルジョイントであり、マスト２の角度が側面図（ａ）において９０度であるが、ボード５上で０度から１８０度まで自由に角度を変えることができる。また、上面図（ｂ）において、マスト２を中心にセイル部を３６０度回転させることができる。上面図（ｂ）の状態を練習者がボード５上で保持すると、セイル１の風圧中心１６とボード５の回転中心１７とのずれにより回転モーメントが生じ、ボード部が回転する。
【００２３】
図２は、本考案の実施形態１のウィンドサーフィン練習セットのボード部の構造を表すものである。ボード５の下部に回転座椅子等に用いられる回転台８が取り付けられており、ボード部の回転を実現する。図２に示す回転台８の形状は四角であるが、これに限定するものではなく、例えば円形のものでも良い。また、ゴム足等７は、固定キャスター１３または自在キャスター１４に置き換えることができる。
【００２４】
図３は、本考案の実施形態２のウィンドサーフィン練習セットのボード部の構造を表すものである。ボード５の下部に、バランスボード９が取り付けられており、ボード部の回転を実現する。ボード５下面の四隅に配置したゴム足等７（ｃ）を、圧力スイッチを内蔵したゴム足等１０に替えた場合（ｄ）、練習者がバランスを崩した時に、ゴム足等１０内蔵の圧力スイッチに生じる圧力信号を信号処理装置１２で処理し、ボード５表面に配置するＬＥＤ表示器等で、バランスを崩した回数を表示することができる。または、信号処理装置１２から無線信号を送り、練習者のスマートフォン等に前記バランスを崩した回数を表示することもできる。また、ゴム足等７は、固定キャスター１３または自在キャスター１４に置き換えることができる（ｃ）。
【００２５】
図４は、本考案の実施形態３のウィンドサーフィン練習セットのボード部の構造を表すものである。ボード５の下面に、ボード５の中央を中心とする同心円上に固定キャスター１３が複数取り付けられており（ｃ）、ボード部の回転を実現する。また、ゴム足等７は、固定キャスター１３または自在キャスター１４に置き換えることができる。
【００２６】
図５は、本考案の実施形態４のウィンドサーフィン練習セットのボード部の構造を表すものである。ボード５の下面四隅に自在キャスター１４が取り付けられ、さらに、ボード部がボード５の長軸方向に走行するように、ボード５の下面中央に固定キャスター１３がボード５の短軸方向に並べて５個取り付けられている（ｃ）。前記自在キャスター１４は自身が回転するため、ボード部の回転とボード部の長軸方向への走行を可能にする。ボード部の短軸方向に並べて取り付けられた５個の固定キャスター１３は１個のみの場合でも同様にボード部の回転と走行を可能にする。
【００２７】
図７は、本考案の実施形態６のウィンドサーフィン練習セットを表すものである。水平方向に受動的に回転する構造６を備えるボード５の上に、ハートの形状のセイル部１５が取り付けられている。
【符号の説明】
【００２８】
１    セイル
２    マスト
３    ブーム
４    ジョイントベース
５    ボード
６    水平方向に受動的に回転する構造
７    ゴム足等
８    回転台
９    バランスボード
１０  圧力スイッチ内蔵ゴム足
１１  信号線
１２  信号処理装置
１３  固定キャスター
１４  自在キャスター
１５  ハート形セイル部
１６  セイル１の風圧中心
１７  ボード５の回転中心
【図１】
0003232444.tif 000003
【図２】
0003232444.tif 000004
【図３】
0003232444.tif 000005
【図４】
0003232444.tif 000006
【図５】
0003232444.tif 000007
【図６】
0003232444.tif 000008